(57)【要約】【課題】  操作弁に接続される接続配管を冷凍サイクルを構成する配管類に接触させることなく、曲げ加工が伴う側方への引き出しを容易にし、被覆材が燃焼してしまった場合に炎が機械室内に入ってこないようにした空気調和機の室外機を提供する。【解決手段】  本体内が圧縮機３および電装品箱４を含む機械室５と、熱交換器および送風ファンを含む熱交換器室とに区画され、前記機械室５の前面側に複数の操作弁１１を取り付けた取付具１２が設けられ、且つ外胴１３を構成するサービスパネルが設けられた空気調和機の室外機において、前記取付具１２は反熱交換器室側が後方に向けて折曲され、同折曲部に前記複数の操作弁１１が接続部１０を下方に向けて左右に併設されており、前記操作弁１１および前記機械室５内の接続配管９が、同操作弁１１および接続配管９に沿って配設される仕切部材１４により前記圧縮機３および前記電装品箱４から隔絶される構成にした。【選択図】  図４
2010025459.tif 000002
【特許請求の範囲】
【請求項１】
底板と、同底板に被着された外胴とからなる本体内が、仕切板により圧縮機および電装品箱を含む機械室と、熱交換器および送風ファンを含む熱交換器室とに区画され、前記機械室の前面側に、接続配管が接続される接続部を備えた複数の操作弁を取り付けた取付具が設けられるとともに、前記外胴を構成するサービスパネルが設けられてなる空気調和機の室外機において、
前記取付具は、反熱交換器室側が後方に向けて折曲され、同折曲部に前記複数の操作弁が接続部を下方に向けて左右に併設されており、前記操作弁および前記機械室内の接続配管は、同操作弁および接続配管に沿って配設される仕切部材により前記圧縮機および前記電装品箱から隔絶されてなることを特徴とする空気調和機の室外機。
【請求項２】
前記接続配管は、前記仕切部材、前記底板および前記外胴により囲繞されてなることを特徴とする請求項１に記載の空気調和機の室外機。
【発明の詳細な説明】
【技術分野】
【０００１】
本発明は、空気調和機の室外機に係わり、より詳細には、接続部を下方に向けて機械室の前面側に設けた複数の操作弁に接続される接続配管を、仕切部材により圧縮機や電装品箱から隔絶させた構造に関する。
【背景技術】
【０００２】
従来の空気調和機の室外機は、図６（Ａ）および図６（Ｂ）と、図７（Ａ）および図７（Ｂ）とに示すように、内部が仕切板２によって圧縮機３を備えた機械室５と、熱交換器６および送風ファン７を備えた熱交換器室８とに区画され、仕切板２の上端部であって機械室５および熱交換器室８の上部空間には電装品箱４が設けられ、図示しない室内機に接続する接続配管９を、外胴１３の後方に向けて引き出し可能な配管スペースを外胴１３内に備えて、室外機としての大型化を抑えながら製品の能力を高めるものとして、機械室５に、図示しない室内機への接続配管９が接続される複数の操作弁１１を左右に備え、熱交換器６の端部に、接続配管９を通すための切り欠きｓが形成されていた（例えば、特開２００３−１０６５６８号公報参照）。
【０００３】
しかしながら、接続配管９は、外胴１３の後方に向けて引き出すとは限らず、図７（Ａ）に破線で示す接続配管９’のように前方、下方または側方に向けた引き出しが可能となっており、その際、接続配管９の一部が圧縮機３に連なる図示しない冷凍サイクルを構成する配管類に接触することがあるため、それによって予想外の大きい力がかかることになって冷凍サイクルに悪影響を及ぼすおそれがあり、また、冷凍サイクルを構成する配管類から振動が図示しない室内機まで伝わってしまうおそれがあった。
【０００４】
また、複数の操作弁１１が、図６（Ａ）および図６（Ｂ）に示すように、前後の位置をずらさないで左右に設置されていることから、この操作弁１１に接続された複数の接続配管９は、異なる曲率半径で折り曲げて側方に引き出すことになるため、実際には、こうした接続配管９の曲げ加工が伴う側方への引き出しは困難であった。
【０００５】
また、接続配管９の外形部は被覆材によって被覆されており、もしも、不審火（付け火）によってこの被覆材が燃焼してしまったような場合、接続配管９を伝わって炎が機械室５内に入ってくることになって、被覆材と接する圧縮機３周辺の図示しない吸音材や電装品箱４に備えた電装品に延焼してしまうおそれがあった。
【特許文献１】特開２００３−１０６５６８号公報
【発明の開示】
【発明が解決しようとする課題】
【０００６】
そこで、本発明は上述した課題を解決するためになされたものであって、その目的は、操作弁に接続される接続配管を冷凍サイクルを構成する配管類に接触させることなく、曲げ加工が伴う側方への引き出しを容易にし、被覆材が燃焼してしまった場合に炎が機械室内に入ってこないようにした空気調和機の室外機を提供することにある。
【課題を解決するための手段】
【０００７】
上述した目的を達成できるように構成するため、本発明は以下に示す特徴を備えている。
【０００８】
底板と、同底板に被着された外胴とからなる本体内が、仕切板により圧縮機および電装品箱を含む機械室と、熱交換器および送風ファンを含む熱交換器室とに区画され、前記機械室の前面側に、接続配管が接続される接続部を備えた複数の操作弁を取り付けた取付具が設けられるとともに、前記外胴を構成するサービスパネルが設けられてなる空気調和機の室外機において、
前記取付具は、反熱交換器室側が後方に向けて折曲され、同折曲部に前記複数の操作弁が接続部を下方に向けて左右に併設されており、前記操作弁および前記機械室内の接続配管は、同操作弁および接続配管に沿って配設される仕切部材により前記圧縮機および前記電装品箱から隔絶されてなることを特徴としている。
【０００９】
また、前記接続配管は、前記仕切部材、前記底板および前記外胴により囲繞されてなることを特徴としている。
【発明の効果】
【００１０】
本発明によれば、操作弁に接続される接続配管を冷凍サイクルを構成する配管類に接触させることなく、曲げ加工が伴う側方への引き出しを容易にし、被覆材が燃焼してしまった場合に炎が機械室内に入ってこないようにした空気調和機の室外機を提供できる。
【発明を実施するための最良の形態】
【００１１】
次に、本発明の実施形態について図面を参照しながら説明する。
【００１２】
図１は本発明による空気調和機の室外機の外観斜視図であり、図２は本発明による空気調和機の室外機のサービスパネルと側面パネルを取り外した正面図であり、図３は本発明による空気調和機の室外機のサービスパネルと側面パネルを取り外した斜視図であり、図４は本発明による空気調和機の室外機の操作弁に接続配管を接続した斜視図であり、図５は本発明による空気調和機の室外機の断面図である。
【００１３】
本発明による空気調和機の室外機は、図５に示すように、底板１と、底板１に被着された外胴１３とからなる本体内が、底板１上に立設された仕切板２により左右に区画されて、一側に、圧縮機３および図２乃至図４に示す電装品箱４を含む機械室５が設けられる一方、他側に、熱交換器６および送風ファン７を含む熱交換器室８が設けられている。
【００１４】
機械室５には、図４および図５に示すように、圧縮機３が底板１上に載置されるとともに、導入された接続配管９を接続するための複数の操作弁１１が、機械室５の前面側であって上下略中央の高さ位置に、反熱交換器室８側の折曲部１２ａが後方に折曲されている取付具１２によって左右に支持されている。
【００１５】
取付具１２の折曲部１２ａは、図５に示すように反熱交換器室８側が後方に折曲された傾斜面からなり、この傾斜面からなる折曲部１２ａで複数の操作弁１１が支持されている。
【００１６】
また、取付具１２の折曲部１２ａは、反熱交換器室８側が後方に折曲された図示しない段部からなる構成にしてもよく、この段部を介して、複数の操作弁１１が左右に支持されるようにしてもよい。
【００１７】
これによって、複数の操作弁１１は、取付具１２により前後に離間し、且つ左右に離間した状態で支持された構成になる。
【００１８】
そのため、複数の操作弁１１の接続部１０に接続される接続配管９は、後方に引き出す以外に、例えば、図１に破線で示す接続配管９’のように前方または側方に引き出す場合であっても、複数の接続配管９’を同様の曲率半径で折り曲げて引き出せるようになることから、こうした接続配管９の曲げ加工が伴う引き出しの作業が容易になる。
【００１９】
複数の操作弁１１の接続部１０に接続される接続配管９は、複数の操作弁１１が接続部１０を下方に向けて上下略中央の高さ位置で前後に離間し、且つ左右に離間した状態で支持されていることから、折り曲げる方向に変えたり、または、折り曲げをしないようにすることによって、図１に破線で示す接続配管９’のように機械室５の前方、側方または下方から導入できるようにすることも可能であるが、本発明の実施の形態においては、図１および図４に示すように、機械室５の後方から接続配管９が導入された場合の構成に限定して説明する。
【００２０】
なお、機械室５の上位部には、図４に示すように電装品を備えた電装品箱４が設置されていて、底板１には、図１に示すように外胴１３が被着されている。
【００２１】
外胴１３は、図１および図５に示すように、熱交換器室８に設けられている送風ファン７を臨ませた吐出グリル１３ｂを有する前面パネル１３ａと、前面パネル１３ａに隣接する機械室５の前面をカバーするサービスパネル１３ｃと、機械室５および熱交換器室８の側面をカバーする側面パネル１３ｄと、熱交換器室８および機械室５の上面をカバーする上面パネル１３ｅとで構成されている。
【００２２】
機械室５は、接続配管９の接続時やメンテナンスの作業時に、少なくともサービスパネル１３ｃを取り外すことで前面側が開放される構成になっているが、サービスパネル１３ｃと、側面パネル１３ｄとを折曲部を介して一体的に形成することで、図２乃至図４に示すように、機械室５の側面側が前面側といっしょに開放されるように構成してもよい。
【００２３】
送風ファン７を起動して空気（外気）を吸い込む吸込口１３ｆは、図５に示すように、平面視でＬ字状に折曲形成された熱交換器６の夫々の面を臨ませるように、熱交換器室８の側面と背面とに設けられており、この吸込口１３ｆから吸い込まれた空気は、熱交換器６によって熱交換された空調空気として吐出グリル１３ｂから外部に吐き出されるように構成されている。
【００２４】
そして、前後に離間し、且つ左右に離間した複数の操作弁１１の下部には、図４に示すように、この操作弁１１の接続部１０に接続される接続配管９に対応して底板１上で前後に延びるように形成し、機械室５の後方から導入された接続配管９を、機械室５に設置された圧縮機３や電装品箱４から隔絶するための仕切部材１４が設けられている。
【００２５】
仕切部材１４が、図４に示すように、複数の操作弁１１の接続部１０に接続された接続配管９に沿って設けられ、接続配管９を圧縮機３や電装品箱４から隔絶することで、接続配管９の接続時に、接続配管９が圧縮機３やこの圧縮機３に連なる冷媒管などに当たらないよう保護できる構成になる。
【００２６】
また、接続配管９の外形部は被覆材によって被覆されているが、もしも、不審火（付け火）によってこの被覆材が燃焼してしまった場合であっても、仕切部材１４により、機械室５への炎の侵入を回避することができて、圧縮機３およびその近傍や電装品箱４に備えている冷凍サイクルユニットの構成部材や、あるいは電装品類などへの延焼を防ぐことができるようになる。
【００２７】
ここで、仕切部材１４の構成について、図２乃至図５に基づいて詳細に説明する。
【００２８】
仕切部材１４は、例えば、鈑金製あるいは難燃樹脂製のように剛性を有する部材によって形成され、操作弁１１およびこれに接続された接続配管９の一側部に沿わせるように構成した垂直部１４ａと、この垂直部１４ａに連続的に形成されて水平状の接続配管９の上部を覆うように構成した水平部１４ｂと、この水平部１４ｂの前端から上方に立ち上げるように形成して、取付具１２に接合される接合部１４ｃとからなる構成になっている。
【００２９】
接合部１４ｃは、図２および図４に示すように、下向きの接続部１０を備えた操作弁１１と、接続部１０に接続された接続配管９の一部とに沿わせることで、これらの後部を保護できるように構成されている。
【００３０】
底板１上に固定される仕切部材１４の接合部１４ｃは、取付具１２の折曲部１２ａに接合されることでこの折曲部１２ａと一体化された構成になり、取付具１２および仕切部材１４の強度をどちらも増強できる構成になる。
【００３１】
なお、取付具１２および仕切部材１４は、折曲部１２ａと接合部１４ｃとを接合するのではなく最初から一体的に形成した構成にしてもよい。
【００３２】
また、仕切部材１４を構成する垂直部１４ａは、外胴１３を構成する側面パネル１３ｄに対向し、水平部１４ｂは底板１に対向した構成になっており、これら垂直部１４ａおよび側面パネル１３ｄと、水平部１４ｂおよび底板１とで、操作弁１１に接続された接続配管９が囲繞された構成になっている。
【００３３】
接続配管９が囲繞されたことで、接続配管９は、圧縮機３やこの圧縮機３に連なる冷凍サイクルを構成する配管類に当たらないよう正確に保護できるようになるとともに、もしも、不審火（付け火）によって接続配管９の被覆材が燃焼してしまったような場合であっても、機械室５への炎の侵入を効果的に回避することができるようになる。
【００３４】
以上説明した本発明による構成であれば、機械室５に導入した接続配管９を、接続部１０を下方に向けて前後に離間し、且つ左右に離間した複数の操作弁１１に接続した際、仕切部材１４により、機械室５に設置された圧縮機３や電装品箱４から隔絶させることができる。
【００３５】
これにより、操作弁１１に接続される接続配管９は、図示しない冷凍サイクルを構成する配管類に接触させることがなく、曲げ加工が伴う側方への引き出しができるようになり、被覆材が燃焼してしまった場合に、炎が機械室５内に入ってこないようにした空気調和機の室外機となる。
【図面の簡単な説明】
【００３６】
【図１】本発明による空気調和機の室外機の外観斜視図である。
【図２】本発明による空気調和機の室外機のサービスパネルと側面パネルを取り外した正面図である。
【図３】本発明による空気調和機の室外機のサービスパネルと側面パネルを取り外した斜視図である。
【図４】本発明による空気調和機の室外機の操作弁に接続配管を接続した斜視図である。
【図５】本発明による空気調和機の室外機の断面図である。
【図６】従来例による空気調和機の室外機の説明図で、（Ａ）は上方からみた断面図であり、（Ｂ）は前方からみた断面図である。
【図７】従来例による空気調和機の室外機の説明図で、（Ａ）は前方からみた斜視図であり、（Ｂ）は要部斜視図である。
【符号の説明】
【００３７】
１  底板
１ａ  脚部
２  仕切板
３  圧縮機
４  電装品箱
５  機械室
６  熱交換器
７  送風ファン
８  熱交換器室
９  接続配管
１０  接続部
１１  操作弁
１２  取付具
１２ａ  折曲部
１３  外胴
１３ａ  前面パネル
１３ｂ  吐出グリル
１３ｃ  サービスパネル
１３ｄ  側面パネル
１３ｅ  上面パネル
１３ｆ  吸込口
１４  仕切部材
１４ａ  垂直部
１４ｂ  水平部
１４ｃ  接合部
【図１】
2010025459.tif 000003
【図２】
2010025459.tif 000004
【図３】
2010025459.tif 000005
【図４】
2010025459.tif 000006
【図５】
2010025459.tif 000007
【図６】
2010025459.tif 000008
【図７】
2010025459.tif 000009